(57)【要約】【課題】宅配ボックスへの据置き部材の取り付けが容易であり、製造が容易で量産性に優れ、製造コストを低減できる宅配ボックスの据置き構造を提供する。【解決手段】宅配ボックスの据置き構造３０は、宅配ボックス１０の底面に設けられる複数の固定部２８と、固定部２８に挿入されてそれぞれ配置され、ボルト及びナットにより宅配ボックス１０の底面に固定される複数の据置き部材３２とを備え、据置き部材３２は樹脂成型品によって構成される。【選択図】図２
2020103515.tif 000002
【特許請求の範囲】
【請求項１】
宅配ボックスの底面に設けられる複数の固定部と、
前記固定部に挿入されてそれぞれ配置され、ボルト及びナットにより前記宅配ボックスの底面に固定される複数の据置き部材と、を備え、
前記据置き部材は樹脂成型品によって構成される、
宅配ボックスの据置き構造。
【請求項２】
前記固定部は、前記底面において枠状に突出する周囲壁と、前記周囲壁の内側において前記底面から突出する筒状のボルトガイド部と、前記周囲壁と前記ボルトガイド部との間に連設される複数の板状の補強リブとを有し、前記補強リブは前記固定部に挿入される前記据置き部材に当接して上下方向に位置決めする機能を有する、請求項１に記載の宅配ボックスの据置き構造。
【請求項３】
前記据置き部材は、前記固定部に固定されるときの水平方向の向きを変更可能である、請求項１又は２に記載の宅配ボックスの据置き構造。
【請求項４】
前記据置き部材は、前記固定部に挿入されて固定される取付部と、宅配ボックスの設置面に打ち込まれたアンカーボルトに連結固定されるアンカー部とを一体に有し、前記アンカー部は、前記据置き部材が前記固定部に取り付けられた状態で前記宅配ボックスの外壁面の鉛直下方に位置する、請求項１〜３のいずれか一項に記載の宅配ボックスの据置き構造。
【請求項５】
複数の宅配ボックスを積み重ねた状態で前記固定部を用いてボルトおよびナットにより連結できるように、前記宅配ボックスの天板には前記固定部に対応する位置に複数のボルト挿通部が形成されている、請求項１〜４のいずれか一項に記載の宅配ボックスの据置き構造。
【発明の詳細な説明】
【技術分野】
【０００１】
本開示は、宅配ボックスの据置き構造に関する。
【背景技術】
【０００２】
近年、宅配ボックスが普及しつつある。宅配ボックスは、例えば、戸建住宅の玄関前に設置される。宅配ボックスは、一方向側面が開口した筐体であるボックス本体と、このボックス本体の開口を開閉する扉とを備える。扉には施錠装置が設けられている。また、扉にはスリットが形成され、そのスリットの奥側に押印装置が設けられていることがある。上記施錠装置及び押印装置が電源を必要とせずに動作する機械式の装置であれば、電気配線工事が不要であるため宅配ボックスを後付けで容易に設置することができる。
【０００３】
荷物を配送する配送業者は、住居人が留守の場合、宅配ボックスの扉を開いてボックス本体内に荷物を収納し、扉を閉じる。そして、この状態で扉の外面に設けられたレバーやボタンなどを用いてロック操作を行うことで、扉を施錠することができる。また、配送業者は、扉に形成されているスリット内に伝票を挿入した状態で上記ロック操作を行うことで、上記押印装置が作動して伝票に受領印が押印される。このようにして配送業者は、住居人が留守の場合でも荷物の配送を完了することができ、再配達の手間が省ける。他方、帰宅した住居人は、鍵を用いて施錠装置を解錠し、扉を開いてボックス本体内から荷物を取り出して受け取ることができる。
【０００４】
宅配ボックスは、玄関前のコンクリート面にアンカーボルトを用いて固定した状態で設置されるのが好ましい。これにより、宅配ボックスごと持ち去られるのを防止することができる。これに関連する技術として、特許文献１には、宅配物収納ロッカーの収納室底部枠に設けた固定脚を、土台に打ち込んだアンカーボルトに金属板製のアンカーを介して連結固定する構成が記載されている。
【先行技術文献】
【特許文献】
【０００５】
【特許文献１】実開平４−３６８８１号公報
【発明の概要】
【発明が解決しようとする課題】
【０００６】
宅配ボックスは、金属板製の据置き用ベースを用いてコンクリート面に設置されることがある。据置き用ベースは、矩形筒状をなし、下端縁部及び上端縁部には内側に曲げ形成された下側折り曲げ部及び上側折り曲げ部を有している。このような据置き用ベースを用いて宅配ボックスを設置する場合、まず、コンクリート面に複数のアンカーボルトを打ち込み、これらのアンカーボルトを据置き用ベースの下側折り曲げ部の貫通孔に挿通してナット締めすることで、据置き用ベースをアンカーボルトに固定する。それから、据置き用ベースの上に宅配ボックスを載置し、扉を開いてボックス内の底面の貫通孔にボルトを挿通し、上側折り曲げ部に設けられた雌ネジ孔又はナットにボルトを締め込む。これにより、宅配ボックスが据置き用ベースを介してコンクリート面に固定される。
【０００７】
上述した据置き用ベースは、金属板をプレス加工、曲げ加工、溶接、塗装などの工程を経て製造されるため、製造に手間が掛かりコスト高になるという課題があった。
【０００８】
本開示の目的は、宅配ボックスへの据置き部材の取り付けが容易であり、製造が容易で量産性に優れ、製造コストを低減できる宅配ボックスの据置き構造を提供することにある。
【課題を解決するための手段】
【０００９】
本開示に係る宅配ボックスの据置き構造は、宅配ボックスの底面に設けられる複数の固定部と、固定部に挿入されてそれぞれ配置され、ボルト及びナットにより宅配ボックスの底面に固定される複数の据置き部材とを備え、据置き部材は樹脂成型品によって構成されるものである。
【発明の効果】
【００１０】
本開示に係る宅配ボックスの据置き構造によれば、ボルト及びナットを用いて据置き部材を宅配ボックスに容易に取り付けることができる。また、据置き部材が樹脂成型品によって構成されるため、製造が容易で量産性に優れ、製造コストを低減できる。
【図面の簡単な説明】
【００１１】
【図１】一実施形態である据置き構造を備えた宅配ボックスの斜視図である。
【図２】宅配ボックスの底面を示す斜視図である。
【図３】据置き部材について（ａ）上側から見た斜視図と、（ｂ）下側から見た斜視図である。
【図４】据置き構造を構成する宅配ボックスの底面の固定部及び据置き部材の断面図である。
【図５】宅配ボックスの底面の別例と据置き部材の変形例を示す、図２と同様の斜視図である。
【図６】宅配ボックスの底面の固定部と据置き部材の更に別の例を示す斜視図である。
【図７】図６において据置き部材を宅配ボックスの底面の固定部から分離した状態で示す斜視図である。
【図８】宅配ボックスのボックス本体を２段に重ねた状態を示す斜視図である。
【図９】図８に示す２段のボックス本体の連結部を示す断面図である。
【発明を実施するための形態】
【００１２】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１３】
図１は、一実施形態である据置き構造３０を備えた宅配ボックス１０の斜視図である。以下では、宅配ボックス１０において扉側を「前」、その反対側を「後」といい、扉側から見て水平方向の一方側を「右」、他方側を「左」という。
【００１４】
図１に示すように、宅配ボックス１０は、ボックス本体１２と、扉１４とを備える。ボックス本体１２は、前面が開口する直方体状の筐体であり、内部空間が荷物収納室となっている。
【００１５】
ボックス本体１２は、天板１２ａ、底板１２ｂ、右側壁１２ｃ、左側壁１２ｄ、及び後壁１２ｅが例えばネジ止め等によって一体に組み立てられて構成される。天板１２ａ、右側壁１２ｃ、左側壁１２ｄ、及び、後壁１２ｅは、それぞれ、例えば樹脂成型品によって構成されても良いし、金属板によって構成されても良いし、樹脂成型品と金属板とが組み合わされて構成されてもよい。底板１２ｂは、詳しくは後述するように樹脂成型品によって構成されている。なお、天板１２ａ、底板１２ｂ、右側壁１２ｃ、左側壁１２ｄ、及び後壁１２ｅの少なくとも２つ以上が樹脂材料により一体成形されてもよい。
【００１６】
扉１４は、ボックス本体１２の前面開口を開閉するように設けられている。具体的には、扉１４の右側端部は、ボックス本体１２の右側壁１２ｃに図示しないヒンジ部を介して回動可能に取り付けられている。これにより、扉１４は、その右側端部を中心に回動することによって、ボックス本体１２の前面開口を開閉することができる。
【００１７】
扉１４の表面には、操作部１６が設置されている。操作部１６には、上から順に、キーシリンダ部１８、レバー２０、及び、スリット２２が配置されている。キーシリンダ部１８は、扉１４の裏面に設置された施錠装置（図示せず）を解錠するためのものである。施錠装置によって扉１４が施錠されているとき、キーシリンダ部１８に鍵を挿入して回すことによって、施錠装置を解錠して扉１４を開くことができる。
【００１８】
レバー２０は、施錠装置を作動させて扉１４を施錠するとともに、扉１４の裏面に設置された押印装置（図示せず）を作動させる際に操作される部材である。図１では、レバー２０が押し下げられた状態にあり、この状態で施錠装置は扉１４を施錠した状態になっている。施錠装置が未施錠状態にあるとき、レバー２０は操作部１６に形成された窓１９内で上下方向の中間に位置しており、押し下げ可能になっている。
【００１９】
スリット２２は、上下方向に細長く延びた開口である。荷物を配送する配送業者が扉１４を開いて内部の収納室に荷物を収納し、扉１４を閉じる。そして、配送業者がスリット２２に伝票を挿入した状態でレバー２０を押し下げ操作すると、施錠装置が作動して扉１４が施錠されるとともに、押印装置が作動して伝票に例えば判子が押印される。
【００２０】
図２は、宅配ボックス１０の底面を示す斜視図である。図１及び図２に示すように、ボックス本体１２の底板１２ｂの下面が宅配ボックス１０の底面を構成する。底板１２ｂは、例えば樹脂成型品によって構成されている。底板１２ｂの下面には、前後方向に延在する複数の板状の補強リブ２４と、左右方向に延在する複数の板状の補強リブ２６が、下方に突出して形成されている。これらの補強リブ２４，２６によって、底板１２ｂの強度向上が図られている。
【００２１】
底板１２ｂの下面には複数の固定部２８が一体に形成されている。固定部２８には、据置き部材３２が取り付けられている。据置き部材３２は、宅配ボックス１０をコンクリート面に打ち込まれたアンカーボルトに固定するための部材である。また、据置き部材３２は、宅配ボックス１０の高さ位置をかさ上げする脚部又はベースとしても機能する。本実施形態では、宅配ボックス１０の底面に４つの固定部２８が設けられ、各固定部２８に据置き部材３２がそれぞれ取り付けられる。据置き構造３０は、宅配ボックス１０の底面に設けられた固定部２８と、固定部２８に固定された据置き部材３２とによって構成される。
【００２２】
底板１２ｂは、下面視で長方形状をなしている。４つの固定部２８は、底板１２ｂの４つの角部近傍の領域にそれぞれ配置されている。固定部２８は、底板１２ｂの下面において枠状に突出する周囲壁３３と、周囲壁３３の内側において底板１２ｂの下面から突出する筒状のボルトガイド部３４と、周囲壁３３とボルトガイド部３４との間に連設される複数の板状の補強リブ３６とを有する。
【００２３】
固定部２８の周囲壁３３は、例えば八角形の枠状に形成されている。ボルトガイド部３４は、円筒状に形成されており、内部にボルト挿通用の貫通孔が形成されている。複数の補強リブ３６は、ボルトガイド部３４の周囲において放射状に形成されている。各補強リブ３６の内周側縁部は、固定部２８の下端から上方に向かうに従ってボルトガイド部３４との間の間隔が狭くなるように傾斜した形状に形成されている。このように形成される補強リブ３６は、固定部２８に挿入される据置き部材３２に当接して位置決めする機能を有する。
【００２４】
図３は、据置き部材３２について（ａ）上側から見た斜視図と、（ｂ）下側から見た斜視図である。図４は、据置き構造３０を構成する宅配ボックス１０の底面の固定部２８及び据置き部材３２の断面図である。
【００２５】
据置き部材３２は、樹脂成型品によって構成される。図３（ａ），（ｂ）に示すように、据置き部材３２は、固定部２８に挿入されて固定される取付部３８と、宅配ボックス１０の設置面に打ち込まれたアンカーボルト（図示せず）に連結固定されるアンカー部４０とを一体に有する。
【００２６】
据置き部材３２は、側面視で略台形状の本体部４２を含み、取付部３８は本体部４２の上面に円錐台状に突出して形成されている。アンカー部４０は、本体部４２の端部に連設されており、アンカーボルトを挿通するための貫通孔４４が形成されている。
【００２７】
図３（ｂ）に示すように、据置き部材３２は中空状に形成されており、取付部３８の内側及びアンカー部４０の貫通孔の内側周囲には多数の板状の補強リブが形成されている。このように据置き部材３２を中空状に形成し、補強リブで強度向上を図る構成とすることで、据置き部材３２の厚みを全体的に略同一にすることができ、樹脂製品の成型後に生じるヒケを抑制できる。
【００２８】
据置き部材３２の取付部３８には、ボルト挿通孔３９が形成されている。ボルト挿通孔３９は、本体部４２内に延在して形成されている。本体部４２の内側においてボルト挿通孔３９の端部の周囲には、六角状の凹部からなるナット嵌合部４６が形成されている。ナット嵌合部４６に六角ナットを押し入れて嵌合させることで、ナット嵌合部４６によってナットを保持できるようになっている。
【００２９】
図４に示すように、据置き部材３２は、ボルトＢ及びナットＮによって宅配ボックス１０の底板１２ｂの固定部２８に取り付けられる。より詳しくは、まず、据置き部材３２の取付部３８を固定部２８の周囲壁３３の内側に挿入する。これにより、固定部２８のボルトガイド部３４が取付部３８のボルト挿通孔３９に挿入される。このとき、固定部２８の補強リブ３６の傾斜した縁部が取付部３８の外周面に当接し、その結果、固定部２８（すなわち底板１２ｂ）に対する据置き部材３２が上下方向に位置決めされる。なお、水平面内における据置き部材３２の位置決めは固定部２８のボルトガイド部３４が取付部３８のボルト挿通孔３９に嵌合することによって行われるが、ボルトガイド部３４が取付部３８のボルト挿通孔３９に嵌合しない場合には上記複数の補強リブ３６が取付部３８の外周面に当接することによって据置き部材３２を水平面内で位置決めすることができる。
【００３０】
このように据置き部材３２を固定部２８に組み付けた状態で、扉１４を開いて収納室側からボルトＢを固定部２８のボルトガイド部３４に挿入し、据置き部材３２のナット嵌合部４６に嵌合配置されたナットＮに締め付ける。これにより、据置き部材３２が宅配ボックス１０の底板１２ｂに固定される。このように据置き部材３２にナットＮを嵌合保持させておくことで、作業者がボルトＢを締め込む際にナットＮを手で押さえる必要がなく、据置き部材３２の取付作業を容易に行うことができる。
【００３１】
図４に示すように、底板１２ｂの固定部２８に取り付けられた据置き部材３２のアンカー部４０は、宅配ボックス１０の外壁面（ここでは扉１４の外側表面）の鉛直下方に位置している。これにより、作業者は、アンカー部４０の貫通孔４４に下方からアンカーボルトのネジ部を挿入するように宅配ボックス１０を設置面であるコンクリート面に置き、宅配ボックス１０とアンカー部４０との間の空間においてアンカーボルトのネジ部にナットを締め付ける作業を行うことができる。したがって、宅配ボックス１０の設置作業を容易に行うことができる。
【００３２】
本実施形態において据置き部材３２は、固定部２８に固定されるときの水平方向の向きを変更可能である。具体的には、図２では据置き部材３２のアンカー部４０が宅配ボックス１０の前側と後側に向けられて固定されている例が示されるが、宅配ボックス１０が設置される現場によっては例えば、１つ又は２つの据置き部材３２のアンカー部４０が宅配ボックス１０の右側壁１２ｃ又は左側壁１２ｄの側に向いている方が設置作業を行い易い場合がある。そのような場合には、図２に示す状態から９０度回転させた向きに変更して据置き部材３２を固定することができる。このように宅配ボックス１０が設置される現場に応じて、据置き部材３２を固定する向きを変更可能になっていることで、設置作業をより円滑に行うことができる。
【００３３】
上述したように本実施形態の宅配ボックスの据置き構造３０は、宅配ボックス１０の底板１２ｂの下面に設けられる複数の固定部２８と、固定部２８に挿入されてそれぞれ配置され、ボルトＢ及びナットＮにより宅配ボックス１０の底面に固定される複数の据置き部材３２とを備え、据置き部材は樹脂成型品によって構成されている。この構成によれば、ボルトＢ及びナットＮを用いて据置き部材３２を宅配ボックス１０に容易に取り付けることができる。また、据置き部材３２が樹脂成型品によって構成されるため、製造が容易で量産性に優れ、製造コストを低減できる。
【００３４】
また、本実施形態の宅配ボックスの据置き構造３０において、固定部２８は、底板１２ｂの下面において枠状に突出する周囲壁３３と、周囲壁３３の内側において底板１２ｂの下面から突出する筒状のボルトガイド部３４と、周囲壁３３とボルトガイド部３４との間に連設される複数の板状の補強リブ３６とを有し、補強リブ３６は固定部２８に挿入される据置き部材３２の取付部３８に当接して上下方向に位置決めする機能を有する。この構成によれば、複数の据置き部材３２を底板１２ｂの固定部２８に対してそれぞれ正確に上下方向に位置決めした状態で固定することができ、宅配ボックス１０の設置状態をガタツキなく安定したものにできる。
【００３５】
また、本実施形態の宅配ボックスの据置き構造３０において、据置き部材３２は、固定部２８に固定されるときの水平方向の向きを変更可能である。これにより、宅配ボックス１０の設置現場に応じて据置き部材の固定される向きを変更でき、設置作業をより円滑に行うことができる。
【００３６】
さらに、本実施形態の宅配ボックスの据置き構造３０では、据置き部材３２は、固定部２８に挿入されて固定される取付部３８と、宅配ボックス１０の設置面に打ち込まれたアンカーボルトに連結固定されるアンカー部４０とを一体に有し、アンカー部４０は、据置き部材３２が固定部２８に取り付けられた状態で宅配ボックス１０の外壁面の鉛直下方に位置している。これにより、アンカーボルトのネジ部にナットを締め付ける作業を容易に行うことが可能になる。
【００３７】
図５は、宅配ボックス１０の底面の別例と据置き部材の変形例を示す、図２と同様の斜視図である。図５に示すように、宅配ボックス１０の底板１２ｂの下面には、前後方向及び左右方向に延在する板状の補強リブ２４，２６に加えて、下面視で円形状をなす複数の補強リブ２５，２７が同心状に設けられてもよい。
【００３８】
また、図５に示すように、互いに直交する２方向に延出する２つのアンカー部４０ａ，４０ｂを一体に有する据置き部材３２Ａが用いられてもよい。このような据置き部材３２Ａを用いることで、宅配ボックス１０が設置面により強固に固定されるので、宅配ボックス１０の設置状態がより安定したものになる。図５では４つの据置き部材のうち１つを据置き部材３２Ａとした例を示すが、複数の据置き部材３２Ａを用いてもよい。
【００３９】
図６は、宅配ボックス１０の底面の固定部と据置き部材の更に別の例を示す斜視図である。図７は、図６において据置き部材を宅配ボックス１０の底面の固定部から分離した状態で示す斜視図である。
【００４０】
図６及び図７に示すように、据置き部材３２Ｂの取付部３８ｂは矩形筒状に形成されている。固定部２８Ｂの周囲壁３３は、取付部３８ｂよりも一回り大きい矩形筒状に形成されている。これにより、据置き部材３２Ｂの取付部３８ｂは、固定部２８Ｂの周囲壁３３ｂの内側に嵌合した状態で挿入される。周囲壁３３の内周面には段部３７が形成されており、この段部３７に取付部３８ｂの端面が当接することによって、底板１２ｂに対して据置き部材３２Ｂが上下方向に位置決めされる。固定部２８Ｂ及び据置き部材３２Ｂの他の構成は、上述した固定部２８及び据置き部材３２と同様にすることができる。据置き部材３２Ｂは、図７に示す状態から９０度回転させた向きで固定部２８Ｂに挿入することによって、固定部２８Ｂに固定されるときの水平方向の向きを変更可能である。上記の固定部２８Ｂ及び据置き部材３２Ｂによって構成される宅配ボックスの据置き構造３０によっても、上述した実施形態と同様の効果を奏することができる。
【００４１】
図８は、宅配ボックス１０のボックス本体１２を２段に重ねた状態を示す斜視図である。図９は、図８に示す２段のボックス本体１２の連結部を示す断面図である。図８では、扉１４の図示と、ボックス本体１２の外壁面を覆って設けられるカバー板の図示が省略されている。
【００４２】
図８に示すように、据置き構造を備えた宅配ボックスの上に、別の宅配ボックスを積み重ねて連結する場合、図９に示すように、上側の宅配ボックスの固定部２８を用いてボルトＢおよびナットＮにより連結できるように、下側の宅配ボックスのボックス本体１２の天板１２ａには上側のボックス本体１２の底板１２ｂの固定部２８に対応する位置に複数のボルト挿通部３５が形成されてもよい。ボルト挿通部３５は、上述したボルトガイド部３４と同様に天板１２ａの下面から円筒状に突出した形状に形成されるのが好ましい。また、ボルト挿通部３５の下端には、上述した据置き部材３２と同様に、ナットＮを嵌合保持するナット嵌合部４６を設けるのが好ましい。このように構成することで、据置き構造３０の一部を構成する底板１２ｂの固定部２８を用いて複数の宅配ボックスのボックス本体１２を積み重ねて連結固定することができる。
【００４３】
なお、本開示の宅配ボックスの据置き構造は、上述した実施形態およびその変形例に限定されるものではなく、本願の特許請求の範囲に記載された事項の範囲内において種々の変更や改良が可能であることは勿論ある。
【符号の説明】
【００４４】
１０  宅配ボックス、１２  ボックス本体、１２ａ  天板、１２ｂ  底板、１２ｃ  右側壁、１２ｄ  左側壁、１２ｅ  後壁、１４  扉、１６  操作部、１８  キーシリンダ部、１９  窓、２０  レバー、２２  スリット、２４，２５，２６，２７，３６  補強リブ、２８，２８Ｂ  固定部、３０  宅配ボックスの据置き構造、３２，３２Ａ，３２Ｂ  据置き部材、３３，３３ｂ  周囲壁、３４  ボルトガイド部、３５  ボルト挿通部、３７  段部、３８，３８ｂ  取付部、３９  ボルト挿通孔、４０，４０ａ，４０ｂ  アンカー部、４２  本体部、４４  貫通孔、４６  ナット嵌合部、Ｂ  ボルト、Ｎ  ナット。
【図１】
2020103515.tif 000003
【図２】
2020103515.tif 000004
【図３】
2020103515.tif 000005
【図４】
2020103515.tif 000006
【図５】
2020103515.tif 000007
【図６】
2020103515.tif 000008
【図７】
2020103515.tif 000009
【図８】
2020103515.tif 000010
【図９】
2020103515.tif 000011